(57)【要約】      （修正有）【課題】簡単な構成で小型、軽量化可能であり、コストメリットのある磁気記録再生装置を提供する。【解決手段】キャプスタン軸５６をメインシャーシ５０に固定する際、ハウジング７２をメインシャーシ５０の背面壁に固定する構造としたのでキャプスタン上に余計な部品が無く、磁気記録再生装置の薄型化が実現できる。また、キャプスタン軸５６の傾きを偏芯カムで調整して固定するので、調整のための部品を必要としない。【選択図】  図１
2004288238.tif 000002
【特許請求の範囲】
【請求項１】
主要部品を支持するための第１の面部と、前記第１の面部と略略直角な第２の面部とを具備してなるシャーシ手段と、
磁気テープを駆動するためのキャプスタン軸および前記キャプスタン軸を回転自在に軸承するハウジングと、前記キャプスタン軸を駆動するモータ部とから構成されるキャプスタン手段と、
前記キャプスタン軸に押圧手段によって押圧され、前記キャプスタン軸との間に磁気テープを挟んで移送するためのピンチローラ手段とを具備し、
前記キャプスタン手段はキャプスタン軸がシャーシ手段の第２の面部とほぼ平行かつ第１の面部とほぼ直角になるように、前記ハウジングを、シャーシ手段の第２の面部に固定してなる磁気記録再生装置。
【請求項２】
ピンチローラ手段をキャプスタン軸に押圧する押圧力は、前記第２の面部に向かって発生するように構成されたことを特徴とする請求項１記載の磁気記録再生装置。
【請求項３】
第１の面部および第２の面部と略略直角な第３の面部を具備し、それらは連続して構成されたことを特徴とする請求項２記載の磁気記録再生装置。
【請求項４】
ハウジングおよびシャーシ手段の第２の面部は、固定時に限られた範囲で相対位置を回動させてキャプスタン軸の第２の面部に対して平行方向の傾き調整ができるよう、回動位置決め手段および固定手段を設けたことを特徴とする請求項２記載の磁気記録再生装置。
【請求項５】
回動位置決め手段の回動中心は、キャプスタン軸の磁気テープ走行中心から第２の面部に垂直におろした軸とほぼ一致するように構成したことを特徴とする請求項４記載の磁気記録再生装置。
【請求項６】
キャプスタン手段のハウジングおよびシャーシ手段の第２の面部は、固定時に限られた範囲で相対位置を調整してキャプスタン軸の第２の面部に対して平行方向の傾き調整ができるよう、相対位置調整手段を設けたことを特徴とする請求項４記載の磁気記録再生装置。
【請求項７】
相対位置調整手段は、キャプスタン手段のハウジング近傍、シャーシ手段の第２の面部の少なくとも一ヶ所に設けられた切り欠きであることを特徴とする請求項６記載の磁気記録再生装置。
【請求項８】
ハウジングおよびシャーシ手段の第２の面部は、固定時にキャプスタン軸が前記第２の面部に対して垂直方向のあおり調整できるようにあおり調整手段を設けたことを特徴とする請求項２記載の磁気記録再生装置。
【請求項９】
あおり調整手段は第２の面部に設けたねじ穴と、前記ねじ穴を介してキャプスタン手段のハウジングを押すように設けたねじで構成されたことを特徴とする請求項８記載の磁気記録再生装置。
【発明の詳細な説明】
【０００１】
【発明の属する技術分野】
本発明は、小型、軽量で生産性の優れた磁気記録再生装置に関するものである。
【０００２】
【従来の技術】
近年、磁気記録再生装置は、小型軽量化、低コスト化が望まれている。
【０００３】
以下に従来の磁気記録再生装置について説明する。
【０００４】
従来、磁気記録再生装置は特開平１１−３２８７７９号公報に記載されたものが知られている。
【０００５】
【特許文献１】
特開平１１−３２８７７９号公報
【０００６】
【発明が解決しようとする課題】
しかしながら従来の構成では、
１．図４に示すようにキャプスタンモーターのハウジング９の上に基板６が重なり、さらに基板６の上面に締め付けねじ１４，１５，１７や調整ねじ１６の頭部が来るので磁気記録再生装置の薄型化は望めない。
２．ピンチローラの圧着力に対抗するため、基板６のハウジング９との固定部は肉厚が必要で、複雑な形状となる。
３．キャプスタン軸８の傾きを調整するために専用の調整ねじ１６を必要とする。
するという問題点を有していた。
【０００７】
本発明は上記従来の問題点を解決するもので、簡単な構成で小型、軽量化可能であり、コストメリットのある磁気記録再生装置を提供することを目的とする。
【０００８】
【課題を解決するための手段】
この目的を達成するために本発明の磁気記録再生装置は、シャーシ手段に直角に設けられた面部にキャプスタンハウジングを固定する構成を有している。
【０００９】
この構成によって、キャプスタン上に構造物が無くなり、磁気記録再生装置全体を薄くできる。
【００１０】
【発明の実施の形態】
本発明の請求項１に記載の発明は、主要部品を支持するための第１の面部と、前記第１の面部と略略直角な第２の面部とを具備してなるシャーシ手段と、磁気テープを駆動するためのキャプスタン軸および前記キャプスタン軸を回転自在に軸承するハウジングと、前記キャプスタン軸を駆動するモータ部とから構成されるキャプスタン手段と、前記キャプスタン軸に押圧手段によって押圧され、前記キャプスタン軸との間に磁気テープを挟んで移送するためのピンチローラ手段とを具備し、前記キャプスタン手段はキャプスタン軸がシャーシ手段の第２の面部とほぼ平行かつ第１の面部とほぼ直角になるように、前記ハウジングを、シャーシ手段の第２の面部に固定したものであり、キャプスタン手段の上面部に部品を配置できるという作用を有する。
【００１１】
請求項２に記載の発明は、ピンチローラ手段をキャプスタン軸に押圧する押圧力は、前記第２の面部に向かって発生するように構成したものであり、ピンチローラ手段の押圧力は第２の面部で受けるという作用を有する。
【００１２】
請求項３に記載の発明は、第１の面部および第２の面部と略略直角な第３の面部を具備し、それらは連続して構成したものであり、シャーシ手段の剛性を向上することが出来るという作用を有する。
【００１３】
請求項４に記載の発明は、ハウジングおよびシャーシ手段の第２の面部は、固定時に限られた範囲で相対位置を回動させてキャプスタン軸の第２の面部に対して平行方向の傾き調整ができるよう、回動位置決め手段および固定手段を設けたものであり、回動位置決め手段を中心にハウジングとシャーシ手段の相対位置を調整することが出来るという作用を有する。
【００１４】
請求項５に記載の発明は、回動位置決め手段の回動中心は、キャプスタン軸の磁気テープ走行中心から第２の面部に垂直におろした軸とほぼ一致するように構成したものであり、キャプスタン軸の位置調整を行ってもキャプスタン軸の位置ズレを最少にすることが出来るという作用を有する。
【００１５】
請求項６に記載の発明は、キャプスタン手段のハウジングおよびシャーシ手段の第２の面部は、固定時に限られた範囲で相対位置を調整してキャプスタン軸の第２の面部に対して平行方向の傾き調整ができるよう、相対位置調整手段を設けるように構成したものであり、特別な部品を設けなくとも相対位置調整することが出来るという作用を有する。
【００１６】
請求項７に記載の発明は、相対位置調整手段は、キャプスタン手段のハウジング近傍、シャーシ手段の第２の面部の少なくとも一ヶ所に設けられた切り欠きであるように構成したものであり、この切り欠きに治具を係合させて前記キャプスタン手段の相対位置調整することが出来るという作用を有する。
【００１７】
請求項８に記載の発明は、ハウジングおよびシャーシ手段の第２の面部は、固定時にキャプスタン軸が前記第２の面部に対して垂直方向のあおり調整できるようにあおり調整手段を設けたしたものであり、固定時にキャプスタン軸のあおり調整を行うことが出来るという作用を有する。
【００１８】
請求項９に記載の発明は、あおり調整手段は第２の面部に設けたねじ穴と、前記ねじ穴を介してキャプスタン手段のハウジングを押すように設けたねじで構成したものであり、ねじを用いて簡単にあおり調整を行うことが出来るという作用を有する。
【００１９】
以下、本発明の実施の形態について、図１から図７を用いて説明する。
【００２０】
（実施の形態１）
図１はカセット着脱状態（以下、アンロードモードと呼ぶ）での本発明の磁気記録再生装置の平面図である。図１では、図を見やすくするためにいくつかの部品が省略されている。
【００２１】
１０はカセットで、１２はカセットに張架された磁気テープで、磁気テープ１２はカセット１０に収納されているＳリール１３、Ｔリール１９に巻かれている。
【００２２】
１８はサブシャーシで、カセット１０が装着される。サブシャーシ１８は図３に示すようにメインシャーシ５０の両サイドに絞り加工で構成された横壁６２および前記横壁６２に構成された凸部６４、６６によってガイド溝部６８、７０をガイドされ、矢印Ａ、Ｂ方向に移動可能となっている。
【００２３】
２０、２２はサブシャーシ１８上に回転自在に設けられたＳリール台およびＴリール台でそれぞれＳリール１３、Ｔリール１９と係合する。
【００２４】
２４はテンションアームで、テンションアーム軸２６に対して回動自在にサブシャーシ１８に設けられており、２８のテンションポストがその一端に設けられている。
【００２５】
前記テンションポスト２８は、図２に示す、テープ再生または記録状態（以下、ローディングモードと呼ぶ）においては、磁気テープ１２が巻装され、磁気テープ１２のテンションによってテンションバンド３０の張りを可変し、テンションバンド３０が巻装されたＳリール台２０の回転トルクを制御する。
【００２６】
３２、３４はそれぞれＳボート、Ｔボートであり、Ｓボート３２にはＳ１ポスト、Ｔボート３４にはＴ１ポスト３８およびＴ２ポスト４０が設けられており、図２のローディングモードにおいてはボートガイド溝４２，４４に沿って磁気テープ１２をカセット１０から引き出し、シリンダー４６に巻装する。
【００２７】
４８はメインシャーシ５０に回動自在に支持されたピンチアームであり、一端にピンチローラ５２を具備している。
【００２８】
前記ピンチアーム４８は、図２のローディングモードでは時計方向に回動し、メインシャーシ５０に設けられたキャプスタン５４のキャプスタン軸５６にピンチローラ５２を磁気テープ１２を挟んで圧着バネ（図示せず）によって圧着する構造になっている。
【００２９】
５８はＴ３ポストアームであり、サブシャーシ１８に回動自在に軸承されており、図２のローディングモードでは先端のＴ３ポスト６０が磁気テープ１２をカセット１０から引き出し、キャプスタン軸５６に巻装させる。
【００３０】
これら一連の動作は、ローディングモーター５１の回転によって前記サブシャーシ１８が矢印ＡおよびＢ方向へ移動する際に、それぞれのカム（図示せず）によって駆動され、図２に示すローディング状態へと移行する。
【００３１】
前記キャプスタン５４の構造は、ハウジング７２にモーターのステータ７４が固定され、ロータ７６が取り付けられたキャプスタン軸５６が回転自在に軸承されている。
【００３２】
キャプスタン５４は図３に示すようにメインシャーシ５０の背面に絞り加工で構成された背面壁７８に３本のビス８０ａ、８０ｂ、８０ｃでハウジング７２が固定されている。
【００３３】
このため、ステータ７４上に固定ビスや固定用シャーシの一部が存在せず、このスペースに前記Ｔ３ポストアーム５８やピンチアーム４８を配置することが出来る。
【００３４】
前記背面壁７８は上述の横壁６２と連続的に形成されており、この構成によって背面壁７８は矢印Ａ方向の力に対してきわめて高剛性な構造である。
【００３５】
このため、図２および図４に示すようにローディングモードでは、ピンチローラ５２がキャプスタン軸５６に圧着、矢印Ｃ方向に大きな力が発生するが、前記背面壁７８は高剛性なのでキャプスタン軸５６が倒れることはない
前記背面壁７８には位置決め穴８２、２ヶ所の調整溝８４ａ、８４ｂが設けられており、ハウジング７２に設けられた位置決め凸部８６が係合して位置決め固定されている。
【００３６】
キャプスタン軸５６は磁気テープ１２にテープダメージが入らないようにテープ走行方向の傾きを調整する必要がある。
【００３７】
この調整方法を図５、図６を使って説明する。
【００３８】
キャプスタン軸５６の傾きを調整するには、３本のビス８０ａ、８０ｂ、８０ｃでハウジング７２を仮固定した状態で調整用の偏芯カム８８を使用する。偏芯カム８８はつまみ部分９０、軸部分９２、カム部分９４から構成され、つまみ部分９０と軸部分９２は中心軸が一致しているが、カム部分９４は偏芯している。
【００３９】
この偏芯カム８８の軸部分９２を調整溝８４ｂに沿わせて、つまみ部分９０を任意の方向へ回転させるとハウジング７２はカム部分９４に押されて位置決め凸部８６を中心に矢印Ｅ方向へ回転する。
【００４０】
矢印Ｄ方向へ回転させるには軸部分９２を調整溝８４ａに沿わせて同様にすればよい。前記キャプスタン軸５６の傾き調整後はビス８０ａ、８０ｂ、８０ｃを締めて固定する。
【００４１】
前記位置決め凸部８６は、図７に示すように磁気テープ１２の高さ方向中心と、キャプスタン軸５６の幅方向中心との交点付近に設けているため、キャプスタン軸５６の傾き調整後もキャプスタン軸５６の高さが変化することなく、磁気テープ１２にダメージがおこらない。
【００４２】
なお、本実施の形態では前記背面壁７８と横壁６２は絞り加工で連続的に形成した例を示したが、別々に形成してビスや溶接で固定しても同様の効果が得られる。
【００４３】
（実施の形態２）
今までは、キャプスタン軸５６の傾き調整は磁気テープ１２の走行方向、すなわち図５の矢印Ｄ、Ｅ方向についてのみであったが、あおり方向の傾き調整について図４、５を用いて説明する。
【００４４】
なお、キャプスタン軸５６のあおり方向は図４の矢印Ｇ、Ｈ方向の傾き調整である。
【００４５】
メインシャーシ５０の背面壁７８にはキャプスタン５４のハウジング７２を固定するため、３ヶ所のビス穴（図示せず）が設けられている。このビス穴の近傍に、調整ビス用のタップ穴９３が設けられている。この位置は、背面にハウジング７２がある位置である。
【００４６】
９１は調整ビスで、前記タップ穴９３にねじ込まれ、先端が前記キャプスタン５４のハウジング７２に到達している。
【００４７】
キャプスタン軸５６のあおり方向の調整を行うには、キャプスタン５４のハウジング７２を固定しているビス８０ａをゆるめた状態で、調整ビス９１をねじ込む。
【００４８】
前記ハウジング７２は調整ビス９１にあおられて、ビス８０ｂ、８０ｃを結んだ線上を中心として矢印Ｇ方向に倒れ込む。
【００４９】
前記キャプスタン軸５６が所望の傾きになったところでビス８０ａを締めて固定する。
【００５０】
但し、このあおり方向調整は必ずしも必要とはしないので、不要な場合は調整ビス９１を使用しなければ無駄な部品を必要としない。
【００５１】
【発明の効果】
以上のように本発明は、キャプスタンをメインシャーシに固定する際、ハウジングをメインシャーシの背面壁に固定するのでキャプスタン上に余計な部品が無く、磁気記録再生装置の薄型化が実現できる。また、キャプスタン軸の傾きを偏芯カムで調整して固定するので、調整のための部品を必要とせず、合理化に貢献できるという優れた効果が得られる。
【００５２】
さらに、前記キャプスタン軸のあおり方向の調整を必要とする場合も、調整ビスをねじ込むだけで調整が可能であるばかりか、この調整が不要の場合は何ら部品を必要としない。
【図面の簡単な説明】
【図１】本発明の実施の形態における磁気記録再生装置のカセット着脱状態（アンロードモード）の平面図
【図２】同実施の形態における磁気記録再生装置のテープ再生または記録状態（ローディングモード）の平面図
【図３】同実施の形態における磁気記録再生装置のカセット着脱状態（アンロードモード）の側面図
【図４】同実施の形態における磁気記録再生装置のテープ再生または記録状態（ローディングモード）の側面断面図
【図５】同実施の形態における磁気記録再生装置の要部背面図
【図６】同実施の形態における磁気記録再生装置の要部平面図
【図７】同実施の形態における磁気記録再生装置の要部正面図
【符号の説明】
１２  磁気テープ
５０  メインシャーシ
５６  キャプスタン軸
７２  ハウジング
７８  背面壁
８０  ビス
８２  位置決め穴
８４ａ、８４ｂ  調整溝
８６  位置決め凸部
【図１】
2004288238.tif 000003
【図２】
2004288238.tif 000004
【図３】
2004288238.tif 000005
【図４】
2004288238.tif 000006
【図５】
2004288238.tif 000007
【図６】
2004288238.tif 000008
【図７】
2004288238.tif 000009